(57)【特許請求の範囲】
【請求項１】
テープに記録されたディジタルオーディオ信号を再生するディジタルオーディオ信号再生手段と、
テープに記録されたアナログオーディオ信号を再生するアナログオーディオ信号再生手段と、
前記ディジタルオーディオ信号再生手段の出力信号と前記アナログオーディオ信号再生手段の出力信号とを切り替えるオーディオ出力切り替え手段と、
前記アナログオーディオ信号再生手段と、前記オーディオ出力切り替え手段との間にアナログオーディオ信号を遅延させる遅延回路とを備え、
前記オーディオ出力切り替え手段は前記テープが定常の再生速度で駆動されるときは前記ディジタルオーディオ信号再生手段の出力信号を出力するように、かつ前記テープが定常の再生速度を越えたある速度において前記ディジタルオーディオ信号再生手段の出力信号から前記アナログオーディオ信号再生手段の出力信号を前記遅延回路の遅延時間をＶＴＲのテープスピード情報により可変し出力するように切り替えることを特徴とするオーディオ出力制御装置。
【請求項２】
マイクロコンピュータをさらに備え、前記マイクロコンピュータは前記オーディオ出力切り替え手段を制御することを特徴とする請求項１記載のオーディオ出力制御装置。
【請求項３】
前記オーディオ出力切り替え手段は前記ディジタルオーディオ信号再生手段の出力信号と前記アナログオーディオ信号再生手段の出力信号を入力して両者を混合しその混合比率を連続的に順次変化させることによって切り替えを行う請求項１記載のオーディオ出力制御装置。
【請求項４】
前記オーディオ出力切り替え手段の前記ディジタルオーディオ信号再生手段の出力信号から前記アナログオーディオ信号再生手段の出力信号への切り替え制御を、ＶＴＲのテープスピード情報により実施する請求項１記載のオーディオ出力制御装置。
【請求項５】
前記オーディオ出力切り替え手段の前記ディジタルオーディオ信号再生手段の出力信号から前記アナログオーディオ信号再生手段の出力信号への切り替え制御を、ディジタルオーディオ信号の再生エラー情報により実施する請求項１記載のオーディオ出力制御装置。
【請求項６】
前記テープスピード情報はテープから再生したタイムコードまたはサーボ制御系回路より得ることを特徴とする請求項１及び４のいずれかに記載のオーディオ出力制御装置。
【請求項７】
前記再生エラー情報は１フレーム当たりのＳＹＮＣ数が所定値以下であること、または誤りフラグの存在である請求項５記載のオーディオ出力制御装置。
【発明の詳細な説明】
【０００１】
【発明の属する技術分野】
本発明は、ディジタルオーディオ信号を再生できるビデオテープレコーダ（ＶＴＲ）のオーディオ出力制御回路に関し、更に詳しくはヘリカルスキャンを行うディジタルビデオテープレコーダの記録内容をサーチする場合における高速再生時にも音声信号が聞き取れるオーディオ出力制御装置に関する。
【０００２】
【従来の技術】
従来、ディジタルビデオテープレコーダにおいて記録内容のサーチなどのために高速再生を行うとき、ディジタルオーディオ（以下、ＡＵＤＩＯと記載する）信号の再生に関しては、制限があり、例えば、テープが、ある程度以上の高速で再生されている場合は、大きなノイズが発生するためディジタルＡＵＤＩＯ信号は再生することができない。また、ディジタルＡＵＤＩＯ再生ができる速度範囲であっても、再生中にテープの傷などの個所で補正不可能なエラーが発生した場合も同様にディジタルＡＵＤＩＯ信号は再生することができない。
【０００３】
図５は、従来のＡＵＤＩＯ出力制御装置のブロック図であり、図５において、ディジタルＡＵＤＩＯ再生回路２は図示しないヘリカルスキャンヘッドから入力するディジタルオーディオ再生信号を入力し、これをデコードしてオーディオ信号１０２を出力する。もし再生中にエラーが発生したときはエラー情報１０３をマイクロコンピュータ４に出力する。サーボ制御系回路５は本来は図示しないテープ走行形を制御するためのもので、ここではテープ走行系のテープ速度を検出してマイクロコンピュータ４にテープスピード情報１０５を与える。マイクロコンピュータ４はサーボ制御系回路５からのテープスピード情報１０５に対応して制御信号１０４をミュート回路に出力することによりミュート回路６のＯＮ／ＯＦＦを制御する。ＡＵＤＩＯ出力段におけるミュート回路６はオーディオ信号１０２を入力し、マイクロコンピュータ４の制御信号１０４に応じて入力したオーディオ信号１０２のＯＮ／ＯＦＦを制御するように構成されている。
【０００４】
図６は、ＡＵＤＩＯ出力段におけるミュート回路制御のマイクロコンピュータによる処理を示したフローチャーである。以下、従来の技術について、その動作を、図５、図６をもとに説明する。
【０００５】
ディジタルＡＵＤＩＯ再生信号は、ノイズなしに再生可能なテープスピードＮ倍速（このＮはシステムにもよるが１〜２倍速程度）以下でしか再生することができない。よって、マイクロコンピュータ４にて、サーボ制御系回路５からのテープスピード情報１０５を監視し、図６においてステップ６１でテープスピードがＮ倍速またはそれより速い場合は、ステップＳ６３で制御信号１０４にて出力段においてノイズの発生を防ぐためにミュート回路６をミュートする必要がある。また、ディジタルＡＵＤＩＯ再生時にテープの傷などで訂正不可能なエラーが発生した場合も、ステップＳ６２で検出してステップＳ６３でミュートする必要がある為、マイクロコンピュータ４は、ディジタルＡＵＤＩＯ再生回路２からのエラー情報１０３を監視し、エラーを検知した場合は、制御信号１０４にて出力段においてミュート回路６をミュートする必要がある。
【０００６】
【発明が解決しようとする課題】
この従来の技術においては、ディジタルＡＵＤＩＯの再生時において、再生速度の制限があるため、例えば、記録内容をサーチするためのキュー・レビュー時にテープスピード全般に渡って、ＡＵＤＩＯ再生信号をモニターすることができないという問題点があった。
【０００７】
本発明は、ディジタルＡＵＤＩＯの再生状態がいかなる状態であっても、ＡＵＤＩＯ信号のモニターを可能とするＡＵＤＩＯ出力制御装置を提供することを目的とする。
【０００８】
【課題を解決するための手段】
この課題を解決するために本発明のオーディオ出力制御装置は、テープに記録されたディジタルオーディオを再生するディジタルオーディオ信号再生手段と、テープに記録されたアナログオーディオを再生するアナログオーディオ信号再生手段と、ディジタルオーディオ信号再生手段の出力信号とアナログオーディオ信号再生手段の出力信号とを切り替えるオーディオ出力切り替え手段と、アナログオーディオ信号再生手段と、オーディオ出力切り替え手段との間にアナログオーディオ信号を遅延させる遅延回路とを備え、オーディオ出力切り替え手段はテープが定常の再生速度で駆動されるときはディジタルオーディオ信号再生手段の出力信号を出力するように、かつテープが定常の再生速度を越えたある速度においてディジタルオーディオ信号再生手段の出力信号からアナログオーディオ信号再生手段の出力信号を遅延回路の遅延時間をＶＴＲのテープスピード情報により可変し出力するように切り替える構成であり、この構成においてオーディオ出力切り替え手段をマイクロコンピュータにより制御することが可能な構成とすることもでき、またマイクロコンピュータでなくても、このような機能を持った専用の回路で制御してもよいものである。
【０００９】
上記構成において、ディジタルオーディオ信号が再生できない高速再生状態や、テープの損傷などでエラーが多くノイズが多い場合においても、アナログオーディオ再生信号に出力を切り替えることで、オーディオ再生信号によるモニターが可能になるという効果が得られる。
【００１０】
また、オーディオ出力切り替え手段はディジタルオーディオ信号再生手段の出力信号とアナログオーディオ信号再生手段の出力信号を入力して両者を混合しその混合比率を連続的に順次変化させることによって切り替えを行うように構成することができる。
【００１１】
この構成によって切り替えがなめらかに自然に行うことができる。
【００１２】
また、オーディオ出力切り替え手段の切り替えは、ＶＴＲのテープスピード情報により実施することができ、このテープスピード情報はサーボ制御系回路から得ることもでき、またテープの位置情報であるタイムコードから計算にて求めることもできる。これによってテープ速度が所定以上に速くなって正常に再生できず、雑音が発生することを防ぐように作用する。
【００１３】
またこの切り替えにはディジタルオーディオ信号の再生エラー情報により実施することができ、テープに何らかの障害がある場合に雑音が発生することを防ぐように作用する。このエラー情報には、１フレーム当たりのＳＹＮＣ数が所定値以下であること、または誤りフラグの存在であるとすることができる。
【００１４】
さらに他の態様の本発明は、基本の構成においてアナログオーディオ信号再生手段と、オーディオ出力切り替え手段との間にアナログオーディオ信号を遅延させる遅延回路を備え、遅延回路の遅延時間はＶＴＲのテープスピード情報により制御されるようにすることができる。
【００１５】
この構成によってディジタル信号がエンコード、デコードのためにアナログ信号より遅延することによる、切り替え時の再生音の不連続を生じることを防ぐという作用を有する。
【００１６】
【発明の実施の形態】
（実施の形態１）
以下、本発明の実施の形態１について、図１から図２を用いて説明する。図１は、本発明におけるＡＵＤＩＯ出力制御装置を示すブロック図である。図１において、従来例の図５と異なる点は、テープの長手方向に沿ったリニアトラックから再生された信号を処理するアナログＡＵＤＩＯ再生回路１から出力されるアナログＡＵＤＩＯ再生信号１０１と、ディジタルＡＵＤＩＯ再生回路２から出力されるディジタルＡＵＤＩＯ再生信号１０２を、マイクロコンピュータ４からの制御信号１０４の制御によって、ＡＵＤＩＯ出力切り替え回路３にて切り替え可能な構成としたことである。ＡＵＤＩＯ出力切り替え回路３の制御信号１０４の切り替え条件としては、ディジタルＡＵＤＩＯ再生回路２からのエラー情報１０３または、サーボ制御系回路からのテープスピード情報１０５がある。
【００１７】
図２は、マイクロコンピュータ４によるＡＤＵＩＯ出力切り替え回路の制御処理を示したフローチャートである。
【００１８】
以下、図１と図２を用いて本実施の形態の動作の説明をおこなう。ディジタルＡＵＤＩＯの再生信号は、ディジタルＡＵＤＩＯ再生回路２で処理され、その出力１０２は、ＡＵＤＩＯ出力切り替え回路３に入力される。また、同様に、アナログＡＵＤＩＯの再生信号は、アナログＡＵＤＩＯ再生回路１で処理され、その出力１０１が、ＡＵＤＩＯ出力切り替え回路３に入力される。ここで、ディジタルＡＵＤＩＯの再生には、一般にノイズなしに処理可能な速度範囲に制限があるため、ディジタルＡＵＤＩＯが再生できない条件の場合は、ＡＵＤＩＯ出力制御回路のＡＵＤＩＯ出力信号を、アナログＡＵＤＩＯ再生出力に切り替えることによって、ディジタルＡＵＤＩＯが再生できない場合においても、ＡＵＤＩＯ再生信号のモニターを可能とする。例えば、ディジタルＡＵＤＩＯは、テープスピードが高速の場合、再生できないので、サーボ制御系回路５より、テープスピード情報１０５を、マイクロコンピュータ４により監視し、図２のステップＳ２１でディジタルＡＵＤＩＯが再生可能なスピードのＮ倍速またはそれより速いスピードとなった場合、ステップＳ２４においてＡＵＤＩＯ出力切り替え回路３を、マイクロコンピュータ４による制御信号１０４にて、アナログＡＵＤＩＯ再生信号に切り替える。また、ステップＳ２２においてディジタルＡＵＤＩＯ再生信号に、何らかのエラーが発生し、再生できない場合も、テープスピードにかかわらずディジタルＡＵＤＩＯ再生回路２からのエラー情報１０３を、マイクロコンピュータ４にて監視し、同様に、ＡＵＤＩＯ出力切り替え回路３を、マイクロコンピュータ４による制御信号１０４にて、ディジタルＡＵＤＩＯ再生信号からアナログＡＵＤＩＯ再生信号に切り替える。ステップ２１，２２でＮｏであればステップ２４でアナログＡＵＤＩＯを選択する。テープスピードがＮ倍速またはそれ以上でもエラーがなければ切り替えなくてもよいし、またはテープ速度がＮ倍速以内であってもエラーが発生すれば切り替えるようにできる。このように、ディジタルＡＵＤＩＯ再生信号が再生できない場合においても、アナログＡＵＤＩＯ再生出力に切り替えることで、いかなる状態においても、ＡＵＤＩＯ再生信号によるモニターを可能とするものである。
【００１９】
なお、以上の説明では、ＡＵＤＩＯ出力切り替え回路３の制御信号１０４の制御において、マイクロコンピュータ４を使用した例で説明したが、マイクロコンピュータ４を使用せず、上記のマイクロコンピュータ４と同じ機能を果たす回路構成を用いても、実施可能である。
【００２０】
またテープスピード情報１０５はサーボ制御系回路５から得るように説明したが、テープから再生したアナログ信号またはディジタル信号中に含まれるタイムコードの遷移からテープスピードを読み取ることもできる。
【００２１】
さらに、ＡＵＤＩＯ出力切り替え回路３の、ディジタルＡＵＤＩＯ再生信号からアナログＡＵＤＩＯ再生信号への切り替えは、いずれかの信号を択一的に選択するだけではなく、両信号を混合しておき、その混合比率を一方ではディジタルＡＵＤＩＯ再生信号出力が１００％の状態と、他方ではアナログＡＵＤＩＯ再生信号出力１００％の状態とがあり、前者から後者へオーバーラップして連続的に順次変化させることにより切り替えを達成するようにしてもよい。
【００２２】
（実施の形態２）
図３は本発明の実施の形態２におけるディジタルＡＵＤＩＯ再生回路の要部ブロック図である。図３においてディジタルＡＵＤＩＯ再生回路２はディジタルＡＵＤＩＯ再生信号を入力して磁気記録のための特殊な符号方式などのコーディングを復調する復調回路７、この復調回路７の出力信号の誤りを訂正する誤り訂正回路８、誤り訂正回路８のディジタル出力信号の圧縮を伸長したりアナログ信号に変換するディジタルＡＵＤＩＯデコード回路９、誤り訂正回路８の誤りや、誤りを修正する状態を検出してマイクロコンピュータ４に出力する誤り・修正検出回路１０とを有する。
【００２３】
以下、図３を用いて本実施の形態の動作を説明する。ヘッドから再生されたディジタルＡＵＤＩＯ再生信号は、復調回路７で復調され、誤り訂正回路８に入力され、ここで既知の方法で誤り訂正が行われ、ディジタルＡＵＤＩＯデコード回路９で圧縮された信号を伸長しアナログＡＵＤＩＯ信号に変換される。誤り訂正回路８におけるＳＹＮＣ数および誤りフラグはエラー情報１０３としてマイクロコンピュータ４に出力される。
【００２４】
マイクロコンピュータ４はこのエラー情報１０３から、オーディオデータをブロック単位にまとめた同期ブロックであるＳＹＮＣ数が１フレーム当たり所定の数Ｎ個以下になるか、または誤り訂正し切れないという誤りフラグが検出された場合、ディジタルＡＵＤＩＯの再生エラーと見なして実施の形態１のようにマイクロコンピュータ４（または同等に機能を有する制御回路）は制御信号１０４にて、ＡＵＤＩＯ出力切り替え回路３を、ディジタルＡＵＤＩＯ再生信号からアナログＡＵＤＩＯ再生信号に切り替える。
【００２５】
このように本実施の形態ではディジタルＡＵＤＩＯ再生回路のエラー情報１０３としてＳＹＮＣ数または誤りフラグの存在を用いたので、何らかのテープの損傷などで再生エラーが発生したときにもアナログＡＵＤＩＯに切り替えるので再生時の大きなノイズの発生を防ぐことができる。
【００２６】
（実施の形態３）
図４は本発明の実施の形態３のディジタルＡＵＤＩＯ出力制御回路のブロック図である。図４において実施の形態１，２の図１と異なる点はアナログＡＵＤＩＯ再生回路１とＡＵＤＩＯ出力切り替え回路３との間にアナログ信号を遅延させる遅延回路１１を備えており、またマイクロコンピュータ４は再生ヘッドからテープ再生位置情報を受け取り、サーボ制御系回路５からテープスピード情報１０５を受け取り、遅延回路に遅延時間情報１０８を与えている。その他の部分は図１と同じであり、同じ符号を付けて説明を簡略にしている。
【００２７】
以上のように構成され、次にその動作を説明する。ディジタルＡＵＤＩＯ信号は記録時にエンコードし、また再生時にはデコードを行うためアナログＡＵＤＩＯ信号に比べてわずかながら時間遅れが生じる。エンコードまたはデコードのために正常速度の場合アナログ信号よりたとえば２〜３フレームの遅延があり、これは約６０〜１００ｍＳに相当する。これが録音および再生で倍加され、また再生時に１倍速以上でテープが走行する場合は、このデコード中のテープの走行により、アナログＡＵＤＩＯとの時間差がさらに大きくなり切り替えたときに再生内容が不連続になる。本実施の形態はこのような不連続を防ぐためのもので、マイクロコンピュータ４はテープスピード情報１０５を受けて、まずテープスピードが大きくなるほど遅延時間を大になるように遅延時間情報１０８を出力して遅延回路１１の遅延時間を制御する。これにより先述の制御信号１０４によりＡＵＤＩＯ出力切り替え回路がディジタルＡＵＤＩＯ再生回路の出力からアナログＡＵＤＩＯ再生回路の出力へ切り替えたときも、両再生信号のタイミングが一致しており、再生音が不連続になることがない。
【００２８】
この場合にもサーボ制御系回路５からのテープ速度情報１０５に代えて、テープから再生されたテープ位置情報（タイムコード）１０９を用いて、その時間当たりの遷移からテープ速度情報を得ることができる。
【００２９】
【発明の効果】
以上のように本発明のＡＵＤＩＯ出力制御装置によれば、ディジタルＡＵＤＩＯ再生信号が再生できない条件下においても、アナログＡＵＤＩＯ再生信号の再生出力に切り替えることによって、いかなる状態においても、ＡＵＤＩＯ再生信号によるモニターが可能であるという有利な効果が得られる。この切り替えにはディジタルＡＵＤＩＯ再生信号出力からアナログＡＵＤＩＯ再生信号出力へオーバーラップして連続的に順次変化させることにより切り替える場合も同様である。
【００３０】
またアナログＡＵＤＩＯ再生回路とＡＵＤＩＯ出力切り替え回路との間にアナログ信号を遅延させる遅延回路を備えた構成においては、特にテープ速度が大きくなってから切り替える場合の再生音が不連続にならないという有利な効果が得られる。
【図面の簡単な説明】
【図１】  本発明の実施の形態１または２のＡＵＤＩＯ出力制御装置を示すブロック図
【図２】  （ａ），（ｂ）は本発明の実施の形態１におけるマイクロコンピュータ内部処理を示したフローチャート
【図３】  本発明の実施の形態２におけるディジタルＡＵＤＩＯ再生回路の要部ブロック図
【図４】  本発明の実施の形態３のディジタルＡＵＤＩＯ出力制御回路のブロック図
【図５】  従来のＡＵＤＩＯ出力制御装置を示すブロック図
【図６】  従来のマイクロコンピュータ内部処理を示したフローチャート
【符号の説明】
１  アナログＡＵＤＩＯ再生回路
２  ディジタルＡＵＤＩＯ再生回路
３  ＡＵＤＩＯ出力切り替え回路
４  マイクロコンピュータ
５  サーボ制御系回路
６  ミュート回路
７  復調回路
８  誤り訂正回路
９  ディジタルＡＵＤＩＯデコード回路
１０  誤り・修正検出回路
１１  遅延回路
１０１  アナログＡＵＤＩＯ再生信号
１０２  ディジタルＡＵＤＩＯ再生信号
１０３  エラー情報
１０４  制御信号
１０５  テープスピード情報
１０６  ＳＹＮＣ数
１０７  誤りフラグ
１０８  遅延時間情報
１０９  テープ位置情報
Ｓ２１  テープスピード判断のステップ
Ｓ２２  エラー有無判断のステップ
Ｓ２３  ディジタルＡＵＤＩＯ選択のステップ
Ｓ２４  アナログＡＵＤＩＯ選択のステップ
Ｓ６１  テープスピード判断のステップ
Ｓ６２  エラー有無判断のステップ
Ｓ６３  ＡＵＩＤＩＯ出力ミュートのステップ
【図１】
0003835170.tif 000002
【図２】
0003835170.tif 000003
【図３】
0003835170.tif 000004
【図４】
0003835170.tif 000005
【図５】
0003835170.tif 000006
【図６】
0003835170.tif 000007